(57)【要約】【課題】簡単な構成でレーザー墨出し器と三脚とを結合することができ、径方向の寸法が小さくても、レーザー墨出し器と三脚の結合状態を確実に維持することができるレーザー墨出し器およびその三脚アダプタを得る。【解決手段】レーザー墨出し器本体１と、レーザー墨出し器本体１の底面から突出している結合突起１２と、結合突起１２の周面の一部に係合する係合部および三脚に装着するための三脚ねじ３１を有する三脚アダプタ２を備える。三脚アダプタ２は、係合部とともに結合突起１２の周面を挟み込むレバー３１と、レバー３１が係合部とともに結合突起１２の周面を挟み込んだ状態でレバー３１の回転をロックするロック手段を備えている。【選択図】図１
2008164318.tif 000002
【特許請求の範囲】
【請求項１】
レーザー墨出し器本体と、
このレーザー墨出し器本体の底面から突出している結合突起と、
上記結合突起の周面の一部に係合する係合部および三脚に装着するための三脚ねじを有する三脚アダプタと、を備え、
上記三脚アダプタは、上記係合部とともに上記結合突起の周面を挟み込むレバーと、このレバーが上記係合部とともに上記結合突起の周面を挟み込んだ状態で上記レバーの回転をロックするロック手段を供えているレーザー墨出し器。
【請求項２】
結合突起は、三脚アダプタの係合部とレバーが係合する周溝を有する請求項２記載のレーザー墨出し器。
【請求項３】
三脚に装着するための三脚ねじを有し、レーザー墨出し器本体の底面から突出している結合突起に結合されて、レーザー墨出し器本体を三脚に装着するためのレーザー墨出し器用三脚アダプタであって、
レーザー墨出し器本体の上記結合突起の周面の一部に係合する係合部と、
上記係合部とともに上記結合突起の周面を挟み込むレバーと、
このレバーが上記係合部とともに上記結合突起の周面を挟み込んだ状態で上記レバーの回転をロックするロック手段を備えているレーザー墨出し器用三脚アダプタ。
【請求項４】
係合部は、結合突起の外周面に倣った円弧状凹部である請求項３記載のレーザー墨出し器用三脚アダプタ。
【請求項５】
板金材を打ち抜き加工およびＵ字状に折り曲げ加工した板金部材を主体とし、この板金部材は、互いに平行をなす一方の辺に、結合突起の周面の一部に係合する円弧状凹部を、他方の辺に三脚ねじを有している請求項４記載のレーザー墨出し器用三脚アダプタ。
【請求項６】
板金部材は、円弧状凹部を有する一方の辺に、上記円弧状凹部を挟んで一対のアームを有し、一方のアームにレバーの支軸を有し、他方のアームに、レバーが上記円弧状凹部とともにレーザー墨出し器本体の結合突起の周面を挟み込んだ状態でレバーの回転をロックするロック手段としての係合爪を有している請求項５記載のレーザー墨出し器用三脚アダプタ。
【請求項７】
レバーは支軸に対して相対移動可能に支持されるとともに付勢手段によって付勢され、この付勢力は、ロック手段によってレバーの回転がロックされている状態を維持する向きに作用する請求項６記載のレーザー墨出し器用三脚アダプタ。
【請求項８】
板金部材は、自己潤滑性材料からなる請求項５記載のレーザー墨出し器用三脚アダプタ。
【請求項９】
板金部材は、表面に潤滑性皮膜が形成されている請求項５記載のレーザー墨出し器用三脚アダプタ。
【発明の詳細な説明】
【技術分野】
【０００１】
本発明は、本体に回転機構が組み込まれていなくても、三脚に取り付けた状態で本体を回転可能にすることができるレーザー墨出し器およびレーザー墨出し器用三脚アダプタに関するものである。
【背景技術】
【０００２】
建築現場などにおいて、墨出し用のレーザー光を、建築物の壁、天井、床などの投射対象面に投射するレーザー墨出し器が使用されている。レーザー墨出し器は、レーザー光源として一般に半導体レーザーが用いられている。半導体レーザーから出射されるレーザー光は拡散光であるため、これをコリメータレンズによってほぼ平行光束とし、これを円柱状のロッドレンズに透過させることにより一方向にのみ拡散させ、これを壁、天井、床などの投射対象面に投射して、レーザー光による鉛直方向あるいは水平方向のライン光を投射するようになっている。
【０００３】
レーザー墨出し器によるレーザーライン光の投射位置、特に鉛直ラインの投射位置は必要に応じて変更される場合があり、これに対応してレーザー墨出し器を水平面内において回転させることが可能であることが望まれる。そこで、多くのレーザー墨出し器においては、その本体部分をベースに対して回転可能とする回転機構を備えている。レーザー墨出し器における回転機構に求められる条件は、３６０度にわたってスムーズに回転可能であること、そして、墨出し器を上下反転させても本体部分からベースが分離して落下しないことである。回転機構を備えている従来のレーザー墨出し器は、これらの条件を満たしている。
【０００４】
しかしながら、回転機構を持たないレーザー墨出し器もあり、かかるレーザー墨出し器においては、レーザー墨出し器本体と三脚との間に三脚アダプタを介在させ、三脚アダプタに回転機構を組み込むことによってレーザー墨出し器を回転可能としたものがある。あるいは、レーザー墨出し器本体に回転微調整機構を備えているものにおいて、回転位置を大きく変更しようとする場合、これを回転微調整機構で行おうとすると、目的の回転位置まで移動させることは面倒であり、また、目的の位置まで回転させることは不可能な場合もあるので、回転機構を備えた三脚アダプタを使用し、三脚アダプタの回転機構で回転位置の粗調整を行うことが考えられる。
【０００５】
特許文献１記載の発明は回転機構を備えた三脚アダプタの一つで、三脚との結合部および墨出し器側に設けられている突起が嵌まる円筒部を有する第１の筒と、第１の筒に相対回転可能に嵌められている第２の筒と、第１の筒の内周面から進退可能に配置されている締め付け部材と、を有し、第２の筒は、第１の筒に対し相対回転させることにより締め付け部材を第１の筒の内周面から進出させ、締め付け部材を、第１の筒の円筒部に嵌まる墨出し器の突起に当接させて締め付ける締め付け部材押圧部を有していることを特徴としている。
【０００６】
三脚アダプタに関する別の公知例として、特許文献２記載の発明がある。これは、墨出し器の下部に凹部を設け、三脚の上部には雄ねじを設けて三脚取り付けアダプタと螺合させ、三脚取り付けアダプタの上部には円筒状の凸部を設けて墨出し器の上記凹部と嵌合させ、嵌合部にＯリングを入れることで、墨出し器を簡単に着脱できるようにしたものである。ただし、特許文献２には、墨出し器の三脚への着脱を容易にすること、および、三脚に墨出し器を装着した状態で上下反転させても墨出し器が自重で落下しない、との記載はあるものの、三脚に墨出し器を取り付けた状態で墨出し器を回転可能にする旨の記載はない。
【０００７】
【特許文献１】特開２００３−２５１５７９号公報
【特許文献２】特開２００４−４５２４０号公報
【発明の開示】
【発明が解決しようとする課題】
【０００８】
特許文献１記載の発明によれば、簡単な操作で墨出し器を三脚に装着することができ、三脚に装着したあと墨出し器を回転させることもできる。できれば、構造を簡単にして低コスト化を図ることが望まれる。また、特許文献１および特許文献２記載の発明では、脱落防止構造の信頼性をさらに高めることが望まれる。
【０００９】
小型タイプのレーザー墨出し器の場合、３本の脚の頂点を結ぶことによって作られる三角形は自ずと小さくなる。三脚取り付けアダプタはこの三角形内に位置することになるため、レーザー墨出し器が小型化されるにしたがって三脚取り付けアダプタも小型化せざるを得ない。しかし、特許文献１、特許文献２に記載されているような従来の墨出し器用三脚アダプタは、比較的複雑な構成になっていて小型化するのは困難であり、より簡単な構成にすることが望まれている。加えて、径方向の寸法が小さくても、結合状態を確実に維持することができる構造であることが望まれている。
【００１０】
本発明は、上記のような従来技術の課題を解決すること、すなわち、簡単な構成でレーザー墨出し器と三脚とを結合することができ、径方向の寸法が小さくても、レーザー墨出し器と三脚の結合状態を確実に維持することができるレーザー墨出し器およびその三脚アダプタを得ることを目的とする。
【課題を解決するための手段】
【００１１】
本発明は、レーザー墨出し器本体と、このレーザー墨出し器本体の底面から突出している結合突起と、この結合突起の周面の一部に係合する係合部および三脚に装着するための三脚ねじを有する三脚アダプタと、を備え、三脚アダプタは、上記係合部とともに上記結合突起の周面を挟み込むレバーと、このレバーが上記係合部とともに上記結合突起の周面を挟み込んだ状態で上記レバーの回転をロックするロック手段を備えていることを最も主要な特徴とする。
【発明の効果】
【００１２】
三脚アダプタの係合部をレーザー墨出し器本体の結合突起に係合させ、三脚アダプタのレバーを上記結合突起に係合させることによって、三脚アダプタをレーザー墨出し器本体に装着することができる。三脚アダプタは、その三脚ねじによって三脚に取り付けることができ、三脚アダプタの介在のもとにレーザー墨出し器本体を三脚に装着することができる。レーザー墨出し器本体の結合突起に対して三脚アダプタの係合部を係合させかつレバーを上記結合突起に係合させるという簡単な操作で三脚アダプタをレーザー墨出し器本体に装着することができる。三脚アダプタは、その係合部とともにレバーがレーザー墨出し器本体の結合突起に係合するため、三脚アダプタがレーザー墨出し器本体から脱落することはない。三脚アダプタに対してレーザー墨出し器本体は結合突起を中心として回転させることが可能であり、よって、三脚アダプタの介在のもとにレーザー墨出し器本体を三脚に取り付けた状態でレーザーライン光の投射位置を調整することが可能である。
【発明を実施するための最良の形態】
【００１３】
以下、本発明にかかるレーザー墨出し器およびレーザー墨出し器用三脚アダプタの実施例について図面を参照しながら説明する。
図１乃至図４において、レーザー墨出し器本体１の底面中央部には、三脚アダプタ２を装着するための結合突起１２が、レーザー墨出し器本体１の底面から下方に突出させて固定されている。結合突起１２は、例えば金属からなる円柱状の部材の先端部（図において下端部）にフランジを有している形をしていて、このフランジ状の先端部とレーザー墨出し器本体１の底面との間に周溝が形成された形になっている。レーザー墨出し器本体１の底面の外周縁部には、周方向に等間隔に三個の脚１３が取り付けられている。外付けの三脚を使用しない場合は三個の脚１３が三脚として機能する。三個の脚１３に干渉しないように、上記結合突起１２に三脚アダプタ２が装着される。
【００１４】
以下、図５、図６も併せて参照しながら、三脚アダプタ２について具体的に説明する。三脚アダプタ２は、板金材を打ち抜き加工およびＵ字状に折り曲げ加工した板金部材２１を主体としてなる。板金部材２１はＵ字を横向きにした形になっていて、上下で互いに平行をなす辺の一方の辺（図５、図６において上側の辺）に、上記結合突起１２の周面の一部に係合する円弧状凹部２７を有し、他方の辺（図５、図６において下側の辺）２８に三脚ねじ３１を有している。円弧状凹部２７は上記結合突起１２の半周に倣って約１８０度にわたり円弧状に形成され、円弧状凹部２７の縁部が結合突起１２の周溝に係合するようになっている。上記他方の辺２８には円形の孔が形成されていて、この孔に円柱部材２９が嵌合されて固定され、円柱部材２９の内周面に三脚ねじ３１が形成されている。三脚ねじ３１には、図３、図４に示す三脚の載置台３を上下に貫通している締結ねじを下方からねじ込むことができるようになっていて、この締結ねじによって上記載置台３の上に三脚アダプタ２を装着することができるようになっている。
【００１５】
板金部材２１の上記円弧状凹部２７は、レーザー墨出し器本体１の上記結合突起１２の周面の一部に係合する係合部を構成している。板金部材２１は、上記円弧状凹部２７からなる係合部とともに上記結合突起１２の周面を挟み込むレバー４０を備えている。板金部材２１の、上記下側の辺２８に対向する上側の辺は、円弧状凹部２７を挟んでその両側に一対のアーム２２，２３を有している。一方のアーム２２の先端部にレバー４０の支軸３２を有し、レバー４０はその一端部が支軸３２によって支持されている。レバー４０は、支軸３２を中心として上記上側の辺と平行をなす面内において水平方向に回転可能に支持されている。レバー４１は、板金部材２１の円弧状凹部２７とともに上記結合突起１２の周面を挟み込む役目を持っており、図６に示すように、レバー４０が上記一対のアーム２２，２３の先端部双方を結合するように回転したとき、結合突起１２の周溝に嵌まる円弧状凹部４６を有する。この円弧状凹部４６は、板金部材２１の円弧状凹部２７とともに、結合突起１２に対する係合部を構成している。レバー４０の先端部は下方に略直角に折り曲げられて折曲部４１となっていて、この折曲部４１の一側部にバネ掛け４３が形成され、このバネ掛け４３の上方に係合片４２が形成されている。係合片４２についてはあとでより具体的に説明する。
【００１６】
図５に示すように、板金部材２１の一方のアーム２３は、長手方向の略中央部に段部２４が形成され、この段部２４よりも先端側２５はレバー４０の板厚に相当する寸法だけ落ち込んでいる。アーム２３の先端側２５の先端部には、側方に突出した係合爪２６が形成されている。この係合爪２６と、上記レバー４０の係合片４２とで、レバー４０が板金部材２１の円弧状凹部２７とともに上記結合突起１２の周面を挟み込んだ状態でレバー４０の回転をロックするロック手段を構成している。すなわち、レバー４０を回転させてその先端部分をアーム２３の先端側２５の上に重ね、上記係合片４２が上記係合爪２６を乗り越えるまで回転させて、係合片４２と係合爪２６とを係合させるように構成されている。
【００１７】
ただし、係合片４２と係合爪２６とを係合させるために、コイルばね４５からなる付勢手段が設けられている。コイルばね４５の一端部はレバー４０の上記バネ掛け４３に掛けられ、コイルばね４５の他端部は前記支軸３２に掛けられている。支軸３２に対してレバー４０はその長手方向にスライドできるように、支軸３２に嵌まるレバー４０の孔がレバー４０の長手方向に長い長孔となっており、あるいは、支軸３２の径よりもレバー４０の孔の径が大きくなっている。レバー４０の長手方向へのスライド量は、係合片４２が係合爪２６を乗り越えるのに必要なスライド量があればよい。コイルばね４５による付勢力に抗してレバー４０をスライドさせながら係合片４２が係合爪２６を乗り越えるまでレバー４０を回転させると、レバー４０は上記付勢力によってスライドし、係合片４２と係合爪２６が係合して、レバー４０の回転がロックされる。このレバー４０のロック位置では、レバー４０の円弧状凹部４６が前記レーザー墨出し器本体１の結合突起１２の周溝に係合し、板金部材２１の円弧状凹部２７とともに結合突起１２を挟み込んで、三脚アダプタ２がレーザー墨出し器本体１に装着される。
【００１８】
三脚アダプタ２の主体をなす板金部材２１は、自己潤滑性材料からなる板状の部材を打ち抜き加工および折り曲げ加工することによって形成されている。あるいは、一般的な金属板を打ち抜き加工および折り曲げ加工することによって形成し、これを表面処理して、表面に潤滑性皮膜を形成してもよい。レバー４０も自己潤滑性材料で形成し、あるいは表面に潤滑性皮膜を形成するとよい。板金部材２１、さらにはレバー４０がこのようにして形成されることにより、レーザー墨出し器本体１の底面に対する三脚アダプタ２の摩擦抵抗が少なくなり、レーザー墨出し器本体１と三脚アダプタ２との相対回転が円滑になる。したがって、レーザー墨出し器本体１は、三脚アダプタ２の介在のもとに三脚に装着された状態で、結合突起１２を回転中心として円滑に回転させることができ、レーザーによるライン光の投射位置調整が容易になる。
なお、板金部材２１およびレバー４０は、例えばダイキャストなどの一体成形品であってもよい。
【００１９】
レバー４０の先端部が重なる前記アーム２３の先端側２５は、レバー４０の厚さ寸法に相当する分だけ落ち込んでいる。また、アーム２２の下面側に重なっているレバー４０の基端部には、板金部材２１の板厚に相当する高さの段部４８が形成されて、レバー４０の主体部分の上面は板金部材２１の上面と略同一になっている。そのため、アーム２３の先端側２５にレバー４０の先端部を重ねた状態では、レバー４０の上面とアーム２３の上面したがって板金部材２１の上面とが同一面になり、板金部材２１の上面とレバー４０の上面がともにレーザー墨出し器本体１の底面と摺接し、レーザー墨出し器本体１と三脚アダプタ２とを、がたつくことなく安定に結合することができる。さらに、レーザー墨出し器本体１の結合突起１２が有する周溝に、板金部材２１の円弧状凹部２７とレバー４０の円弧状凹部４６が係合するため、レーザー墨出し器本体１に三脚アダプタ２を結合した状態で双方が分離することがなく、双方の結合状態の信頼性を高めることができる。
【００２０】
レーザー墨出し器本体１から三脚アダプタ２を外すときは、レバー４０をコイルばね４５の付勢力に抗してスライドさせ、かつ、係合爪２６と係合片４２との係合が外れるようにレバー４０を回転させ、図１、図５に示すように、板金部材２１の一対のアーム２２、２３の先端を開放する。この状態でレーザー墨出し器本体１の底面に沿って三脚アダプタ２をスライドさせ、板金部材２１と結合突起１２との係合を外せば、三脚アダプタ２をレーザー墨出し器本体１から取り外すことができる。
【００２１】
本発明に係る三脚アダプタは、回転微調整機構を備えたレーザー墨出し器本体を三脚に装着するためのアダプタとして使用すれば、回転位置の粗調整を三脚アダプタで行い、回転位置の微調整をレーザー墨出し器本体側で行なうことにより、迅速かつ精度よく回転位置調整を行うことができる。
【図面の簡単な説明】
【００２２】
【図１】本発明にかかるレーザー墨出し器の実施例の一操作態様を底面側から示す斜視図である。
【図２】上記実施例の別の操作態様を底面側から示す斜視図である。
【図３】上記実施例の側面図である。
【図４】上記実施例の正面図である。
【図５】本発明にかかるレーザー墨出し器用三脚アダプタの実施例の一操作態様を示す図である。
【図６】上記実施例の別の操作態様を示す斜視図である。
【符号の説明】
【００２３】
１    墨出し器本体
２    三脚アダプタ
３    三脚の載置台
１２    結合突起
１５    底面
２１    板金部材
２２    アーム
２３    アーム
２６    係合爪
２７    円弧状凹部（結合突起との係合部）
３１    三脚ねじ
３２    支軸
４０    レバー
４２    係合片
４５    コイルばね
４６    円弧状凹部（結合突起との係合部）
【図１】
2008164318.tif 000003
【図２】
2008164318.tif 000004
【図３】
2008164318.tif 000005
【図４】
2008164318.tif 000006
【図５】
2008164318.tif 000007
【図６】
2008164318.tif 000008